(57)【特許請求の範囲】
【請求項１】
照明負荷と照明負荷を点灯させる点灯回路と商用電源から充電され非常時に点灯回路を介して照明負荷を点灯させる二次電池と点検回路とを備えた非常用照明器具と、非常用照明器具の種別を判別する判別手段と非常用照明器具の種別を記憶する記憶手段とを備え非常用照明器具の点検を制御する制御装置と、を有する非常用照明自動点検システムであって、非常用照明器具の点検は、制御装置に設けられた点検命令送信手段から非常用照明器具へ複数種類の点検命令を送信する送信ステップと、非常用照明器具に設けられた点検回路が前記複数種類の点検命令のうち所定の点検命令で非常用照明器具を点検する点検ステップと、非常用照明器具から制御装置が点検結果情報を受信する受信ステップと、点検結果情報から非常用照明器具の種別を判別手段が判別する判別ステップと、非常用照明器具の種別と受信する点検結果情報とを記憶手段が記憶する記憶ステップと、を備える第一の点検手続、又は、制御装置に設けられた点検命令送信手段から非常用照明器具へ複数種類の点検命令を送信する送信ステップと、非常用照明器具に設けられた点検回路が前記複数種類の点検命令のうち所定の点検命令で非常用照明器具を点検する点検ステップと、非常用照明器具から制御装置が点検結果情報を受信する受信ステップと、送信ステップ前に記憶手段に記憶された非常用照明器具の種別と受信する点検結果情報とを記憶手段が記憶する記憶ステップと、を備える第二の点検手続、のいずれかを選択して行うものであり、前記所定の点検命令による点検は、二次電池の充電電流測定による点検、二次電池の電池電圧測定による点検、点灯回路から照明負荷に流れるランプ電流測定による点検、累積点灯時間測定による点検、二次電池の電池容量測定による点検の全部もしくは一部であることを特徴とする非常用照明自動点検システム。
【請求項２】
表示手段を備えており、記憶手段からの情報に基づいて、非常用照明器具の種別又は点検結果情報を表示手段に自動的に表示させる事を特徴とする請求項１に記載の非常用照明自動点検システム。
【発明の詳細な説明】
【技術分野】
【０００１】
本発明は、非常用照明器具と、非常用照明器具の点検を制御する制御装置と、を有する非常用照明自動点検システムに関するものである。
【背景技術】
【０００２】
従来から、照明器具と、照明器具の点検を制御する制御装置と、を有する照明自動点検システムとして、特開２００３−３４７０７２号公報（特許文献１）に記載されている技術が知られている。
【０００３】
これは、複数の照明器具の異常を点検するシステムであり、点検結果である状態データと、自局を識別する識別データは、各照明器具から制御装置へと送信されるものである。
【特許文献１】特開２００３−３４７０７２号公報
【発明の開示】
【発明が解決しようとする課題】
【０００４】
この照明自動点検システムを非常用照明器具に応用すると、煩雑な点検作業をなくすことができ、非常に有益である。
【０００５】
ここで、非常用照明器具には蛍光灯誘導灯、蛍光灯非常灯、ミニハロゲン灯非常灯といったものがある。これらは点検時間及び使用される二次電池の充電時間等が相違することから、一の非常用照明自動点検システムにおいて、複数の照明器具又は照明負荷が混在する場合には、これらの種別を判別しながら点検作業を進める必要がある。
【０００６】
しかしながら、非常用照明器具と、非常用照明器具の点検を制御する制御装置と、を有する非常用照明自動点検システムにおいて、非常用照明器具の種別を判別する判別情報が、特許文献１における識別データのごとく、各非常用照明器具から制御装置へ送信されるものであると、各非常用照明器具ごとに判別手段が必要となり、かつ判別情報を送信するための別個の情報チャネルが必要となり、非常用照明器具、ひいては非常用照明自動点検システム自体が大型化、高コスト化する可能性がある。
【０００７】
本願発明は、上記背景技術に鑑みてなされたものであり、その課題は、非常用照明器具と、非常用照明器具の点検を制御する制御装置と、を有する非常用照明自動点検システムにおいて、非常用照明器具、ひいては非常用照明自動点検システム自体の大型化、高コスト化を抑制できる非常用照明自動点検システムを提供することである。
【課題を解決するための手段】
【０００８】
上記課題を解決するために、請求項１に記載された発明は、照明負荷と照明負荷を点灯させる点灯回路と商用電源から充電され非常時に点灯回路を介して照明負荷を点灯させる二次電池と点検回路とを備えた非常用照明器具と、非常用照明器具の種別を判別する判別手段と非常用照明器具の種別を記憶する記憶手段とを備え非常用照明器具の点検を制御する制御装置と、を有する非常用照明自動点検システムであって、非常用照明器具の点検は、制御装置に設けられた点検命令送信手段から非常用照明器具へ複数種類の点検命令を送信する送信ステップと、非常用照明器具に設けられた点検回路が前記複数種類の点検命令のうち所定の点検命令で非常用照明器具を点検する点検ステップと、非常用照明器具から制御装置が点検結果情報を受信する受信ステップと、点検結果情報から非常用照明器具の種別を判別手段が判別する判別ステップと、非常用照明器具の種別と受信する点検結果情報とを記憶手段が記憶する記憶ステップと、を備える第一の点検手続、又は、制御装置に設けられた点検命令送信手段から非常用照明器具へ複数種類の点検命令を送信する送信ステップと、非常用照明器具に設けられた点検回路が前記複数種類の点検命令のうち所定の点検命令で非常用照明器具を点検する点検ステップと、非常用照明器具から制御装置が点検結果情報を受信する受信ステップと、送信ステップ前に記憶手段に記憶された非常用照明器具の種別と受信する点検結果情報とを記憶手段が記憶する記憶ステップと、を備える第二の点検手続、のいずれかを選択して行うものであり、前記所定の点検命令による点検は、二次電池の充電電流測定による点検、二次電池の電池電圧測定による点検、点灯回路から照明負荷に流れるランプ電流測定による点検、累積点灯時間測定による点検、二次電池の電池容量測定による点検の全部もしくは一部であることを特徴とする非常用照明自動点検システムである。
【００１０】
また、請求項２に記載された発明は、表示手段を備えており、記憶手段からの情報に基づいて、非常用照明器具の種別又は点検結果情報を表示手段に自動的に表示させる事を特徴とする請求項１に記載の非常用照明自動点検システムである。
【発明の効果】
【００１１】
請求項１に記載された発明によれば、非常用照明器具の種別を判別する判別手段を制御装置に備えているので、非常用照明器具の個別の判別手段が不要となり、非常用照明器具の大型化、コスト高を回避できる。
【００１２】
また点検結果情報から非常用照明器具の種別を判別できるので、別段の判別装置が不要であり、コスト高を回避できる。
【００１３】
また非常用照明器具に送信する点検命令の内容を変更することなく、非常用照明器具の種別判別を含む点検手続と、既に記憶された種別を前提とする点検手続と、を選択できるので、すなわち各非常用照明器具に設けられた点検回路が行う点検の内容を変更することなく、各非常用照明器具の種別を判別する必要がある初回点検時のみ第一の点検手続を使用し、第二回目以降は判別ステップのない第二の点検手続を使用するといったことが可能となり、システムが簡素化され、コスト高を回避できる。
【００１４】
請求項２に記載された発明によれば、表示手段を有することから、異常が発生した非常用照明器具の確認を直ちに行うことができ、交換部品の発注作業が容易となる。
【発明を実施するための最良の形態】
【００１５】
本願発明の第一実施形態として、本願の請求項１から請求項２に対応した非常用照明自動点検システム１について図１〜３により説明する。
【００１６】
本実施形態の非常用照明自動点検システム１は、図１〜３に示す如く、非常用照明器具２と、非常用照明器具２の点検を制御する制御装置３と、を有する非常用照明自動点検システム１であって、制御装置３は、非常用照明器具の種別を判別する判別手段３１と、非常用照明器具２の種別を記憶する記憶手段３２と、を備えている。
【００１７】
ここで、非常用照明器具２の点検は、制御装置３に設けられた点検命令送信手段３３から非常用照明器具２へ点検命令を送信する送信ステップと、非常用照明器具２に設けられた点検部５が非常用照明器具２を点検する点検ステップと、非常用照明器具２から制御装置３が点検結果情報を受信する受信ステップと、点検結果情報から非常用照明器具２の種別を判別手段３１が判別する判別ステップと、非常用照明器具２の種別と受信する点検結果情報とを記憶手段３２が記憶する記憶ステップと、を備える第一の点検手続、又は、制御装置３に設けられた点検命令送信手段３３から非常用照明器具２へ点検命令を送信する送信ステップと、非常用照明器具２に設けられた点検部５が非常用照明器具２を点検する点検ステップと、非常用照明器具２から制御装置３が点検結果情報を受信する受信ステップと、送信ステップ前に記憶手段３２に記憶された非常用照明器具２の種別と受信する点検結果情報とを記憶手段３２が記憶する記憶ステップと、を備える第二の点検手続、のいずれかを選択して行うものである。
【００１８】
また、表示手段４を備えており、記憶手段３２からの情報に基づいて、非常用照明器具２の種別又は点検結果情報を表示手段４に自動的に表示させる事を特徴とする。
【００１９】
以下、本実施形態による非常用照明自動点検システム１を、より具体的詳細に説明する。
【００２０】
最初に、非常用照明自動点検システム１であるが、図１に示すごとく、非常用照明器具２と、制御部３と、表示手段４とが、通信線を介して接続されて構成される。
【００２１】
本実施例では、制御部３から四系統の通信線が延びており、第一系統の通信線には照明負荷６が蛍光灯である誘導灯が、第二系統及び第三系統の通信線には照明負荷６が蛍光灯である非常灯が、第四系統の通信線には照明負荷６がミニハロゲン灯である非常灯が、各系統に３２個、すわなち非常用照明自動点検システム１として１２８個の非常用照明器具２を点検するものとなっている。
【００２２】
次に、非常用照明器具２であるが、図２に示すごとく、点検回路５と、照明負荷６と、通信部２１と、アドレス設定部２２と、二次電池２３と、点灯回路２４と、で構成される。
【００２３】
点検回路５であるが、非常用照明器具２を点検するもので、本実施例においては、充電検出部５２と、電圧検出部５３と、点灯検出部５４と、点灯時間検出部５５と、放電時間検出部５６と、充電検出部５２、電圧検出部５３、点灯検出部５４、点灯時間検出部（図示しない）、二次電池容量検出部（図示しない）の検出結果を記憶するとともに、この結果から二次電池２３及び照明負荷６の異常を判断する判断部５１と、で構成される。
【００２４】
充電検出部５２は、商用電源８から二次電池２３へ流れる充電電流の有無を検出するもので、充電電流の有無により二次電池２３の破損又は外れの有無を確認するためのものである。
【００２５】
電圧検出部５３は、非常用照明器具を点灯させる二次電池の電圧（以下、電池電圧という）、を検出するもので、二次電池２３の電池電圧不足の有無を確認するためのものである。
【００２６】
点灯検出部５４は、ランプ電流を計測して照明負荷６の点灯、不点灯を検出するもので、ランプ電流の有無により照明負荷６の破損又は外れの有無を確認するためのものである。
【００２７】
点灯時間検出部（図示しない）は、照明負荷６の累積点灯時間を計測するものである。
【００２８】
二次電池容量検出部（図示しない）は、電池容量を検出するものである。
【００２９】
判断部５１は、マイクロコンピュータとＥＥＰＲＯＭ等の不揮発性メモリとを主構成要素としており、二次電池２３の破損又は外れ、照明負荷６の破損又は外れがあった場合に、これを異常として記憶する。
【００３０】
また、不揮発性メモリに予め記憶された二次電池２３の標準電池電圧と、検出された電池電圧とを比較し、検出された電池電圧が標準電池電圧を下回った場合に、これを異常として記憶する。
【００３１】
また、不揮発性メモリに予め記憶された照明負荷６の寿命時間と、検出された点灯時間とを比較し、点灯時間が寿命時間を超過した場合に、これを異常として記憶する。
【００３２】
さらに、不揮発性メモリに予め記憶された法定の電池容量と、検出された電池容量とを比較し、検出された電池容量が法定の電池容量を下回った場合に、これを異常として記憶する。
【００３３】
通信部２１であるが、これは制御部３からの点検命令を受信するとともに、点検回路５による非常用照明器具２の点検結果情報（詳細は後述）を制御部３へ送信するもので、汎用の通信ユニットが例示される。
【００３４】
アドレス設定部２２であるが、これは各々の非常用照明器具２に固有のアドレスを設定するもので、本実施例ではディップスイッチで構成され、これは非常用照明器具２の施工時にアドレス設定がされる。
【００３５】
二次電池２３であるが、これは商用電源８によって充電され、非常時に照明負荷２を点灯させるもので、ニッケル−カドミニウム電池又はニッケル−水素電池等の汎用の二次電池が例示される。
【００３６】
なお図示しない整流平滑回路によって、商用電源８からの電力は一端直流に変換されて、二次電池２３を充電することとなる。
【００３７】
点灯回路２４であるが、これは二次電池２３又は商用電源８からの電力供給を受けて高周波電力を発生させて照明負荷２を点灯させるもので、汎用の回路が例示される。
【００３８】
ここで点灯回路２４は常時と非常時の二種類を備えていてもよく、この場合はリレー等の汎用の切替部によって二種類の回路が切替えられることとなる。
【００３９】
なお照明負荷６がミニハロゲン灯である場合には、図３に示すごとく、二次電池２３からの電力供給を受けて高周波電力を発生させて照明負荷６を点灯させるものとなり、点灯回路２４は非常時のみとなる。
【００４０】
照明負荷６であるが、点灯回路２４から供給される電力によって点灯されるもので、本実施例では、上述の通り、蛍光灯又はミニハロゲンランプが採用されている。
【００４１】
次に、制御部３であるが、図２に示すごとく、判別手段３１と、記憶手段３２と、点検命令送信手段３３で構成される。
【００４２】
判別手段３１であるが、マイクロコンピュータを主構成要素としており、制御部３が受信する点検結果情報（詳細は後述）から非常用照明器具２に備えられた非常用照明器具２の種別を判断し、その結果と制御部３が受信する点検結果情報とを記憶手段に送信する。
【００４３】
記憶手段３２であるが、ＥＥＰＲＯＭ等の不揮発性メモリを主構成要素としており、制御部３が受信する点検結果情報のうち、アドレス情報と、判別手段３１が判断するアドレス情報に対応する非常用照明器具２の種別と、制御部３が受信する点検結果情報を記憶する。
【００４４】
点検命令送信手段３３であるが、ＥＥＰＲＯＭ等の不揮発性メモリを主構成要素としており、非常用照明器具２の種別に応じた点検命令及び点検スケジュールが記憶され、点検スケジュールに応じて点検命令を非常用照明器具２に送信する。
【００４５】
次に、表示手段４であるが、液晶ディスプレイ等からなり、記憶手段３２に記載された情報を表示するものである。
【００４６】
続いて、本実施形態による非常用照明自動点検システム１の点検動作を、図４に基づいて、より具体的詳細に説明する。
【００４７】
本実施形態による非常用照明自動点検システム１の点検動作は、非常用照明自動点検システム１の施工直後等の点検初期に実施する第一の点検手続と、点検初期以降に実施する第二の点検手続とに大別される。この第一の点検手続きと第二の点検手続きはいずれか一方を選択することができる。
【００４８】
また第一の点検手続及び第二の点検手続いずれも、３分間に一度の割合で１２８個の非常用照明器具２を点検する常時点検と、３ヶ月に一度の割合で１２８個の非常用照明器具２を点検する定期点検との、２種類の点検に小別される。
【００４９】
まず第一の点検手続における常時点検では、制御装置３から非常用照明器具２へ、充電検出部５２による充電電流測定と、電圧検出部５３による電池電圧測定と、点灯検出部５４によるランプ電流測定と、について３種類の点検命令を送信する（以下、送信ステップという）。
【００５０】
送信ステップを受けて、非常用照明器具２に設けられた点検部５が非常用照明器具２を点検する（以下、点検ステップという）が、照明負荷６が蛍光灯である場合には、点灯検出部５４によるランプ電流測定はキャンセルされる。
【００５１】
点検ステップを受けて、非常用照明器具２から制御装置３が、アドレス情報、二次電池の破損又は外れの有無、電池電圧の異常の有無、ランプ破損又は外れの有無、について４種類の点検結果情報を受信する（以下、受信ステップという）。
【００５２】
ただし、照明負荷６が蛍光灯である場合には、ランプ破損又は外れの有無についての点検結果情報はない。
【００５３】
受信ステップを受けて、制御部３は、アドレス情報とランプ破損又は外れの有無についての点検結果情報の存否から、任意のアドレスが設定された非常用照明器具２の種別、具体的には、非常用照明器具２に備えられた照明負荷６が蛍光灯であるかミニハロゲン灯であるかを判別する（以下、判別ステップという）。
【００５４】
判別ステップを受けて、記憶部４は、任意のアドレスが設定された非常用照明器具２の種別と、点検結果情報を記憶する（以下、記憶ステップという）。
【００５５】
次に第一の点検手続における定期点検では、制御装置３から非常用照明器具２へ、点灯検出部５４によるランプ電流測定と、点灯時間検出部５５による累積点灯時間測定と、二次電池容量検出部５６による電池容量測定と、について３種類の点検命令を送信する（以下、送信ステップという）。
【００５６】
送信ステップを受けて、非常用照明器具２に設けられた点検部５が非常用照明器具２を点検する（以下、点検ステップという）が、照明負荷６がミニハロゲン灯である場合には、点灯検出部５４によるランプ電流測定はキャンセルされる。
【００５７】
また、照明器具が誘導灯である場合には、電池容量を測定するための法定時間は２０分が、照明器具が非常灯である場合には、電池容量を測定するための法定時間は３０分が、選択される。これらの法定時間は点検部５に予め設定されることとなる。
【００５８】
点検ステップを受けて、非常用照明器具２から制御装置３が、アドレス情報、電池容量を測定するための法定時間、電池容量の異常の有無、ランプ破損又は外れの有無、について５種類の点検結果情報を受信する（以下、受信ステップという）。
【００５９】
ただし、照明負荷６がミニハロゲン灯である場合には、ランプ破損又は外れの有無についての点検結果情報はない。
【００６０】
受信ステップを受けて、制御部３は、アドレス情報と電池容量を測定するための法定時間から、任意のアドレスが設定された非常用照明器具２が誘導灯であるか非常灯であるかを判別する（以下、判別ステップという）。
【００６１】
判別ステップを受けて、記憶部４は、任意のアドレスが設定された非常用照明器具２の種別と、点検結果情報を記憶する（以下、記憶ステップという）。
【００６２】
次に第二の点検手続であるが、常時点検と定期点検のいずれも、判別ステップが省略され、記憶ステップにおいて、記憶手段に記憶された非常用照明器具２の種別と、点検結果情報を記憶する点以外は第一の点検手続と同じである。
【００６３】
いずれの点検結果も、表示手段４に表示される。本実施例においては、点検が行われると、点検日時、非常用照明器具２の種別、及び点検結果が表示される。
【００６４】
従って、本実施形態によれば、非常用照明器具２の種別を判別する判別手段３１を制御装置３に備えているので、非常用照明器具２の個別の判別手段が不要となり、非常用照明器具２の大型化、コスト高を回避できる。
【００６５】
また、ランプ電流、電池容量といった点検結果情報から非常用照明器具２の種別を判別できるので、別段の判別装置が不要であり、コスト高を回避できる。
【００６６】
また非常用照明器具２に送信する点検命令の内容を変更することなく、非常用照明器具２の種別判別を含む点検手続と、既に記憶された種別を前提とする点検手続と、を選択できるので、すなわち各非常用照明器具に設けられた点検部が行う点検の内容を変更することなく、各非常用照明器具の種別を判別する必要がある初回点検時のみ第一の点検手続を使用し、第二回目以降は判別ステップのない第二の点検手続を使用するといったことが可能となり、システムが簡素化され、コスト高を回避できる。
【００６７】
さらに、表示手段４を有することから、異常が発生した非常用照明器具２の確認を直ちに行うことができ、交換部品の発注作業が容易となる。
【図面の簡単な説明】
【００６８】
【図１】本願発明の一実施形態のブロック構成図
【図２】本願発明の一実施形態の蛍光灯を用いた非常用照明器具のブロック構成図
【図３】本願発明の一実施形態のミニハロゲン灯を用いた非常用照明器具のブロック構成図
【図４】本願発明の一実施形態における点検手続きのフロー図、（ａ）は第一の点検手続のフロー図、（ｂ）は第二の点検手続のフロー図、
【図５】本願発明の一実施形態における照明負荷別の点検項目一覧表
【符号の説明】
【００６９】
１      非常用照明自動点検システム
２      非常用照明器具
３      制御部
３１    判別手段
３２    記憶手段
３３    点検命令送信手段
４      表示手段
５      点検部
６      照明負荷
【図１】
0004479605.tif 000002
【図２】
0004479605.tif 000003
【図３】
0004479605.tif 000004
【図４】
0004479605.tif 000005
【図５】
0004479605.tif 000006